(57)【要約】      （修正有）【課題】夏期に着用しても、ムレやベタつき、蒸し暑さから解放でき、また通勤バッグ等が濡れないよう雨よけできるレインバッグをセットにした、夏用半袖雨合羽を提供する。【解決手段】雨合羽は、フード付き上着１とズボンから成り、分離別個にそれを入れ置く専用巾着が用意され、雨合羽の上着１の袖を半袖にし、フード部４の前面開口縁に締め調節紐５をトンネル通し式に設け、上着前開きに前閉じボタンと共に表前立てを設け、左右両脇口の袖側に脇通気孔７と、背中に背中通気孔を設け、ズボンに胴回り通気孔と膝裏通気孔を設ける。レインバッグは、レインバッグ収納ポケット内部に小さく畳まれ収納される。【選択図】図１
2017122299.tif 000002
【特許請求の範囲】
【請求項１】
フード付きの上着及びズボンから成る雨合羽と、それとは分離別個に用意されてそれを入れ置くための袋体・即ち専用巾着とが、ワンセット製品として構成されるのであるが、雨合羽の上着の袖を半袖にし、フード部の前面開口縁に締め調節紐をトンネル通し式に設け、上着前開きに前閉じボタンと共に表前立てを設け、左右両脇口の袖側に脇通気孔と脇閉じボタンを設け、背中の左右肩甲骨辺に当たる箇所に横スリット様に背中通気孔を設け、ズボンの胴回り縁沿いに胴回り通気孔を設け、膝裏辺に当たる箇所に膝裏通気孔を設けるのであって、この様に形成された雨合羽は、非使用時には専用巾着の中に収納して携帯し、着衣する時にそこから急遽サッと取出して使用されるのであり、以下専用巾着の具体的構造を説明するのであるが、開口部を開閉紐で開け閉じする巾着体の主袋部の外周において、一方側に、底部近くから開口部手前まで下向き開放コの字状を成すファスナー・即ちレインバッグ収納ポケットファスナーで開閉するレインバッグ収納ポケットを設け、同じ主袋部外周の反対側に、開口部から少し下がった位置に横方向に走るファスナーで開閉する小物入れポケットを設けるのであり、レインバッグ収納ポケット内部において、主袋面側にレインバッグ収納ポケットファスナーにほぼ対向的になぞる形で、レインバッグ外周の一方側面が結合され、小さく畳まれて収納され、傘の代わりに雨合羽を着衣し、レインバッグをサッと引っ張り出して、携行している通勤バッグ等をその中に入れて濡らさぬようにするのであり、以下、そのレインバッグの具体的構造を説明するのであるが、レインバッグ収納ポケットから引っ張り出されたレインバッグは、外周の一方側面でそれと結合している巾着の開口と同じ向きに開口し、開口縁における巾着側（ａ）とその反対側（ｂ）にそれぞれ取っ手ａ片・取っ手ｂ片を設け、取っ手ｂ片のすぐ内側に隣接して一端縁を固定され・そこを根元として伸び広がるレインバッグカバーが設けられ、その根元中央部に取っ手ａ片をくぐらせ通すための切欠き口を設けるのであり、レインバッグカバーは、取っ手ｂ片側から発して反対側方へ、切欠き口に取っ手ａ片をくぐらせ通し、レインバッグの開口部を覆いつつ、巾着をも上部及び側面全体を覆う長さ・幅で形成され、覆い伸び行く方向の中央面がカバー中央部を成し、その両サイドは折り目縁取り様に区切られた一定幅のカバー部を形成して脇カバー部と成し、折り目の両端近くに・折り目を挟んで対称的に・カバー中央部側に折畳み留めボタン、脇カバー部側に脇カバー留めボタンを設け、脇カバー部が被さる時に脇カバー留めボタンと対向するレインバッグ袋部側に、脇カバー留め受けボタンを設けるのであるが、このように形成されたレインバッグカバーは、使用中において切欠き口がそのままでは雨が切欠き口からレインバッグの中に入ってしまうことになる故に、切欠き口を一回り大きい幅広さで上から覆う切欠き口覆いを設けるのであり、切欠き口覆いは、レインバッグ開口縁に取付けられた取っ手ｂ片とレインバッグカバーとの間に挟まれた同じ根元部に一端縁を固定され、切欠き口を覆って伸び広がる先端方向の左右両側に、側縁から直交的に内側へ切れ込むスリットを左右対称に３段程形設して、取っ手通しスリットを設け、この取っ手通しスリットからの雨水の浸入を防ぐために、更に補助カバーを設けるのであるが、補助カバーは、切欠き口覆いと同じ幅であり、長さは取っ手通しスリット部分が覆われれば事足りるので、切欠き口覆い先端より少し手前まで届く程度で充分であって、この補助カバーは、取っ手通しスリットの各段に対応して３段片から成り、先方側から根元側へ・隣接する次片の下に屋根瓦様に少し潜り込んで縁端域が重なり合う形で形成され、各片の先端縁から根元側方へ・取っ手片の紐間隔に対応した形で・片幅の半ばまで切れ込み筋を入れてあり、取っ手片がそこに当たった時に、切れ込み筋の深さ分だけめくれ上がるという構造になっていることを特徴とする夏用半袖雨合羽専用巾着付きセット。
【発明の詳細な説明】
【技術分野】
【０００１】  本発明は、夏の熱い季節などの夏用半袖雨合羽専用巾着付きセットに関するものである。
【背景技術】
【０００２】  従来、雨よけをするためには、主に長袖のカッパを着て雨よけをしていた。
【発明の概要】
【発明が解決しようとする課題】
【０００３】  夏に長袖のカッパを着ると、カッパの中でムレやベタつき、蒸し暑さで熱がこもりやすく、カッパの外へ放出されづらいものだった。
本発明は、以上の問題点を解決するためになされたものである。
【課題を解決するための手段】
【０００４】  フード付きの上着及びズボンから成る雨合羽と、それとは分離別個に用意されてそれを入れ置くための袋体・即ち専用巾着とが、ワンセット製品として構成される。
雨合羽の上着の袖を半袖にし、フード部の前面開口縁に締め調節紐をトンネル通し式に設け、上着前開きに前閉じボタンと共に表前立てを設け、左右両脇口の袖側に脇通気孔と脇閉じボタンを設け、背中の左右肩甲骨辺に当たる箇所に横スリット様に背中通気孔を設け、ズボンの胴回り縁沿いに胴回り通気孔を設け、膝裏辺に当たる箇所に膝裏通気孔を設ける。
この様に形成された雨合羽は、非使用時には専用巾着の中に収納して携帯し、着衣する時にそこから急遽サッと取出すのであるが、以下専用巾着の具体的構造を説明する。
開口部を開閉紐で開け閉じする巾着体の主袋部の外周において、一方側に、底部近くから開口部手前まで下向き開放コの字状を成すファスナー・即ちレインバッグ収納ポケットファスナーで開閉するレインバッグ収納ポケットを設け、同じ主袋部外周の反対側に、開口部から少し下がった位置に横方向に走るファスナーで開閉する小物入れポケットを設ける。レインバッグ収納ポケット内部において、主袋面側にレインバッグ収納ポケットファスナーにほぼ対向的になぞる形で、レインバッグ外周の一方側面が結合され、小さく畳まれて収納される。傘の代わりに雨合羽を着衣し、レインバッグをサッと引っ張り出して、携行している通勤バッグ等をその中に入れて濡らさぬようにするのであるが、以下、そのレインバッグの具体的構造を説明する。
レインバッグ収納ポケットから引っ張り出されたレインバッグは、外周の一方側面でそれと結合している巾着の開口と同じ向きに開口し、開口縁における巾着側（ａ）とその反対側（ｂ）にそれぞれ取っ手ａ片・取っ手ｂ片を設ける。取っ手ｂ片のすぐ内側に隣接して一端縁を固定され・そこを根元として伸び広がるレインバッグカバーが設けられ、その根元中央部に取っ手ａ片をくぐらせ通すための切欠き口を設ける。
レインバッグカバーは、取っ手ｂ片側から発して反対側方へ、切欠き口に取っ手ａ片をくぐらせ通し、レインバッグの開口部を覆いつつ、巾着をも上部及び側面全体を覆う長さ・幅で形成され、覆い伸び行く方向の中央面がカバー中央部を成し、その両サイドは折り目縁取り様に区切られた一定幅のカバー部を形成して脇カバー部と成し、折り目の両端近くに・折り目を挟んで対称的に・カバー中央部側に折畳み留めボタン、脇カバー部側に脇カバー留めボタンを設け、脇カバー部が被さる時に脇カバー留めボタンと対向するレインバッグ袋部側に、脇カバー留め受けボタンを設ける。このように形成されたレインバッグカバーは、使用中において切欠き口がそのままでは雨が切欠き口からレインバッグの中に入ってしまうことになる故に、切欠き口を一回り大きい幅広さで上から覆う切欠き口覆いを設ける。
切欠き口覆いは、レインバッグ開口縁に取付けられた取っ手ｂ片とレインバッグカバーとの間に挟まれた同じ根元部に一端縁を固定され、切欠き口を覆って伸び広がる先端方向の左右両側に、側縁から直交的に内側へ切れ込むスリットを左右対称に３段程形設して、取っ手通しスリットを設ける。この取っ手通しスリットからの雨水の浸入を防ぐために、更に補助カバーを設ける。
補助カバーは、切欠き口覆いと同じ幅であるが、長さは取っ手通しスリット部分が覆われれば事足りるので、切欠き口覆い先端より少し手前まで届く程度で充分である。この補助カバーは、取っ手通しスリットの各段に対応して３段片から成り、先方側から根元側へ・隣接する次片の下に屋根瓦様に少し潜り込んで縁端域が重なり合う形で形成され、各片の先端縁から根元側方へ・取っ手片の紐間隔に対応した形で・片幅の半ばまで切れ込み筋を入れてあり、取っ手片がそこに当たった時に、切れ込み筋の深さ分だけめくれ上がるという構造になっている。
以上を特徴とする夏用半袖雨合羽専用巾着付セットである。
【発明の効果】
【０００５】  従来の長袖のカッパ着用での、ムレやベタつき、カッパの中にこもる熱を、本発明により、ムレやベタつき、カッパの中にこもる熱を解消し着用する事ができる。
【図面の簡単な説明】
【０００６】
【図１】  本発明の一部である正面図
【図２】  本発明の一部である上着を着用して腕を水平に上げた時に脇通気孔を表した側面図
【図３】  本発明の一部である上着を着用して腕を水平に上げた時に脇通気孔を表した正面図
【図４】  本発明の一部である上着の背中通気孔を表した背面図
【図５】  本発明の一部である上着の背中通気孔を表した側面図
【図６】  本発明の一部であるズボンの背面図
【図７】  本発明の一部であるズボンの膝裏通気孔を表した背面の斜視図
【図８】  本発明の一部である巾着の正面図
【図９】  本発明の一部である巾着の背面図
【図１０】  本発明の一部であるレインバッグを広げた側面図
【図１１】  本発明の一部であるレインバッグからレインバッグカバーを取り出した側面図
【図１２】  本発明の一部であるレインバッグカバーが覆った状態を表す側面図
【図１３】  本発明の一部である切欠き口覆いを広げた上面図
【図１４】  本発明の一部であるカバー中央部を切欠き口覆いで覆った上面図
【図１５】  本発明の一部である補助カバーをまくった状態を表す斜視図
【図１６】  本発明の一部である補助カバーに取っ手ａ片を通した状態を表す斜視図
【図１７】  本発明の一部である脇カバー部を広げた状態を表す上面図
【図１８】  本発明の一部である脇カバー部が覆った状態を表す側面図
【発明を実施するための形態】
【０００７】以下、本発明の実施の形態を説明する。
（イ）フード部（４）の前面開口縁に、締め調節紐（５）をトンネル通し式に設ける。
（ロ）上着前開きの内側に、表前立て（６）を設ける。
（ハ）左右両脇口の袖側の内側の前寄りに、縦の斜めに傾けた、脇通気孔（７）と脇閉じボタン（８）を設ける。
（ニ）背中の左右肩甲骨辺に当たる箇所に横スリット様に背中通気孔（９）を設ける。
（ホ）ズボン（２）の胴回り後ろの縁沿いに、４つの胴回り通気孔（１０）を設ける。
（ヘ）ズボン（２）の膝裏の少し下辺りに、横線に膝裏通気孔（１１）を設ける。
（ト）巾着（３）外周の表側に、底部近くから開口部手前までの四角いレインバッグ収納ポケット（１４）を設ける。
（チ）巾着（３）外周の裏側に、開口部から少し下がった位置に横直線で開閉する小物入れポケット（１５）を設ける。
（リ）バッグ収納ポケット（１４）の中に、主袋面側にレインバッグ収納ポケットファスナーにほぼ対向的になぞる形で、レインバッグ外周の一方側面が結合され収納された、レインバッグ（１６）を設ける。
（ヌ）レインバッグ（１６）開口縁に下向きＵの字状を、巾着側に取っ手ａ片（１７）・その反対側に取っ手ｂ片（１８）を設ける。
（ル）取っ手ｂ片（１８）のすぐ内側に隣接一端縁を固定され・そこを根元として伸び広がる長方形状のレインバッグカバー（１９）を設ける。
（ヲ）レインバッグカバー（１９）の、中央部をカバー中央部（２１）と設ける。
（ワ）カバー中央部（２１）の両サイドに、脇カバー部（２２）を設ける。
（カ）カバー中央部（２１）と脇カバー部（２２）の間に、直線状の折り目（２３）を設ける。
（ヨ）カバー中央部（２１）の４角に、折畳み留めボタン（２４）を設ける。
（タ）脇カバー部（２２）の端に、脇カバー留めボタン（２５）を設ける。
（レ）レインバッグ（１６）側面の開口部近くと底部近くに、脇カバー留め受けボタン（２６）を設ける。
（ソ）カバー中央部（２１）の根元に、楕円状の切欠き口（２０）を設ける。
（ツ）取っ手ｂ片（１８）とレインバッグカバー（１９）の根元に間に挟まれた一端縁に固定された、切欠き口（２０）の一回り大きい幅広さで上から覆う、切欠き口覆い（２７）を設ける。
（ネ）切欠き口覆い（２７）に、先端方向の左右両側に、側縁から直交的に内側へ切れ込むスリットを左右対称に３段程形設した、取っ手通しスリット（２８）を設ける。
（ナ）切欠き口覆い（２７）と同じ幅で、取っ手通しスリット（２８）部分を覆う、各片が次片に屋根瓦様に少し潜り込んで縁端域が重なり合う形で形成された補助カバー（２９）を設ける。
（ラ）補助カバー（２９）の、各片の先端縁から根元側方へ・取っ手片の紐間隔に対応した形で・片幅の半ばまでの切れ込みを入れた切れ込み筋（３０）を設ける。
本発明は以上のような構造である。
本発明を使用するときは、巾着（３）の開閉紐（１２）をほどいて開き、その中から夏用半袖雨合羽を取り出す。上着（１）を着用し前閉じボタンを留め、フード部（４）を頭に被り、締め調節紐（５）でフード部（４）を締める。
脇通気孔（７）は、通気性を良くするため脇閉じボタン（８）を外す。
巾着（３）は、レインバッグ収納ポケット（１４）を開き、中に収納されているレインバッグ（１６）を引っ張りし広げる。
レインバッグ（１６）の中に入っているレインバッグカバー（１９）を外へ出し、レインバッグ（１６）の中に、携行している通勤バッグ等を入れる。
脇カバー留めボタン（２５）を折畳み留めボタン（２４）から外し、脇カバー部（２２）を広げる。
取っ手ａ片（１７）を切欠き口（２０）に通す。通勤バッグなどの大きさによってベルト式のように３段階で調節することができる取っ手通しスリット（２８）で長さを調節する。
補助カバー（２９）をまくり、取っ手ａ片（１７）を切れ込み筋（３０）にかみ合わせて覆う。
脇カバー留めボタン（２５）を、脇カバー留め受けボタン（２６）で留める。
小物入れポケット（１４）は、お財布、ビニール、ハンカチなどを入れる。
【符号の説明】
【０００８】１  上着、  ２  ズボン、  ３  巾着、  ４  フード部、  ５  締め調節紐、  ６  表前立て、  ７  脇通気孔、  ８  脇閉じボタン、  ９  背中通気孔、  １０  胴回り通気孔、  １１  膝裏通気孔、  １２  開閉紐、  １３  レインバッグ収納ポケットファスナー、  １４  レインバッグ収納ポケット、  １５  小物入れポケット、  １６  レインバッグ、  １７  取っ手ａ片、  １８  取っ手ｂ片、  １９  レインバッグカバー、  ２０  切欠き口、  ２１  カバー中央部、  ２２  脇カバー部、  ２３  折り目、  ２４  折畳み留めボタン、  ２５  脇カバー留めボタン、  ２６  脇カバー留め受けボタン、  ２７  切欠き口覆い、  ２８  取っ手通しスリット、  ２９  補助カバー、  ３０  切れ込み筋
【図１】
2017122299.tif 000003
【図２】
2017122299.tif 000004
【図３】
2017122299.tif 000005
【図４】
2017122299.tif 000006
【図５】
2017122299.tif 000007
【図６】
2017122299.tif 000008
【図７】
2017122299.tif 000009
【図８】
2017122299.tif 000010
【図９】
2017122299.tif 000011
【図１０】
2017122299.tif 000012
【図１１】
2017122299.tif 000013
【図１２】
2017122299.tif 000014
【図１３】
2017122299.tif 000015
【図１４】
2017122299.tif 000016
【図１５】
2017122299.tif 000017
【図１６】
2017122299.tif 000018
【図１７】
2017122299.tif 000019
【図１８】
2017122299.tif 000020